(57)【要約】【課題】球均し部材の組み付け不良を防止することが可能な弾球遊技機の提供を目的とする。【解決手段】本発明の弾球遊技機によれば、球均し部材４０，４１を正規の挿入方向・順序で軸８０に挿入しなかった場合には、正規の挿入方向・順序で取り付けた場合と比較して、球均し部材４０，４１と機構板１０４との間に大きな空間が形成されるので、取り付け作業者に、取り付けが間違っていることを認識させることができ、球均し部材の組み付け不良を防止することができる。特に、最初に軸８０に嵌め込んだ球均し部材４０，４１の挿入方向が正規の挿入方向と逆であった場合には、その時点で、軸８０の先端部が貫通孔６６，６７の内部に位置して、次の球均し部材４０，４１を挿入することができなくなるので、より早い段階で取り付け間違いを認識させることができる。【選択図】図９
2006026450.tif 000002
【特許請求の範囲】
【請求項１】
遊技機の後面に設けられて、遊技球を転動させて移送する遊技球誘導樋と、
前記遊技球誘導樋の上方を横切るように遊技機の後面から、遊技球の移送方向と直交するように後方に突出した棒状部材と、
前記棒状部材に挿入される貫通孔を上端部に有し、前記棒状部材から下方に垂れて揺動し、前記遊技球誘導樋内の上流側で積み重なった遊技球を下流に向かう途中で均す球均し部材とを備え、
前記球均し部材は、前記棒状部材への挿入の方向性を有する遊技機において、
前記棒状部材は、基端部から先端部に向かうに従って径が小さくなったテーパー構造をなし、前記球均し部材の前記貫通孔は、前記棒状部材の前記テーパー構造に対応して挿入方向の前方から後方に向かうに従って径が小さくなったテーパー構造をなして前記棒状部材と嵌合し、
前記球均し部材が前記棒状部材に正規の方向で挿入組み付けされたときに、前記棒状部材の先端部が、前記球均し部材の前記貫通孔の開放端面に対して面一又は突出し、その棒状部材の先端部に前記球均し部材の抜け止め処理が施されると共に、
前記球均し部材を正規の挿入方向に対して逆向きにして前記棒状部材に挿入した際に、前記棒状部材のうち、前記貫通孔の正規の挿入方向における後方の開口縁が係合する係合部から前記棒状部材の先端面までの距離より、前記貫通孔の正規の挿入方向における前方の開口縁から後方の開口縁までの距離を長くしたことを特徴とする遊技機。
【請求項２】
遊技機の後面に設けられて、遊技球を転動させて移送する遊技球誘導樋と、
前記遊技球誘導樋の上方を横切るように遊技機の後面から、遊技球の移送方向と直交するように後方に突出した棒状部材と、
前記棒状部材に挿入される貫通孔を上端部に有し、前記棒状部材から下方に垂れて揺動し、前記遊技球誘導樋内の上流側で積み重なった遊技球を下流に向かう途中で均す球均し部材とを備え、
前記球均し部材は、前記棒状部材への挿入の方向性を有する遊技機において、
前記棒状部材は、基端部から先端部に向かうに従って径が小さくなったテーパー構造をなし、前記球均し部材の前記貫通孔は、前記棒状部材の前記テーパー構造に対応して挿入方向の前方から後方に向かうに従って径が小さくなったテーパー構造をなして前記棒状部材と嵌合し、
前記球均し部材を逆向きにして前記棒状部材に挿入した際に、前記棒状部材の先端面が前記球均し部材の内部に位置するように構成したことを特徴とする遊技機。
【請求項３】
前記遊技球誘導樋には、前記球均し部材が前記棒状部材に誤挿入されたときには、前記球均し部材に干渉する干渉突壁が設けられたことを特徴とする請求項１又は２に記載の遊技機。
【請求項４】
前記干渉突壁は、前記遊技球誘導樋の遊技球を複数列に区分けする区画壁を兼ねたことを特徴とする請求項３に記載の遊技機。
【請求項５】
前記遊技球誘導樋には、前記棒状部材の先端面に押し付けた状態でねじ止めされる抜け止め壁が備えられたことを特徴とする請求項１乃至４の何れかに記載の遊技機。
【発明の詳細な説明】
【技術分野】
【０００１】
本発明は、遊技機に関する。
【背景技術】
【０００２】
従来より、遊技機の後側には、遊技球を貯留する遊技球タンクと、遊技球タンク内の遊技球を上皿へ払い出す払い出し装置とが備えられ、遊技球タンクと払い出し装置との間が遊技球誘導樋によって連絡されている。遊技球誘導樋の上方には、揺動可能に軸支された球均し部材が備えられており、遊技球誘導樋内を積み重なった状態で移動する遊技球は、この球均し部材と接触することで平坦に均される（例えば、特許文献１参照）。
【特許文献１】特開平８−７１２１０号公報（［０００９］、図４）
【発明の開示】
【発明が解決しようとする課題】
【０００３】
ところが、上述した従来の遊技機では、球均し部材を軸に取り付ける際に、正規の取り付け方向とは逆方向、又は複数の球均し部材を正規の取り付け順序とは異なる順序で軸に挿入しても、取り付けが可能な構成であったため、組み付け作業者に球均し部材の組み付け不良を認識させることが困難であった。
【０００４】
本発明は、上記事情に鑑みてなされたもので、球均し部材の組み付け不良を防止することが可能な遊技機の提供を目的とする。
【課題を解決するための手段】
【０００５】
上記目的を達成するため、請求項１に係る遊技機は、遊技機の後面に設けられて、遊技球を転動させて移送する遊技球誘導樋と、遊技球誘導樋の上方を横切るように遊技機の後面から、遊技球の移送方向と直交するように後方に突出した棒状部材と、棒状部材に挿入される貫通孔を上端部に有し、棒状部材から下方に垂れて揺動し、遊技球誘導樋内の上流側で積み重なった遊技球を下流に向かう途中で均す球均し部材とを備え、球均し部材は、棒状部材への挿入の方向性を有する遊技機において、棒状部材は、基端部から先端部に向かうに従って径が小さくなったテーパー構造をなし、球均し部材の貫通孔は、棒状部材のテーパー構造に対応して挿入方向の前方から後方に向かうに従って径が小さくなったテーパー構造をなして棒状部材と嵌合し、球均し部材が棒状部材に正規の方向で挿入組み付けされたときに、棒状部材の先端部が、球均し部材の貫通孔の開放端面に対して面一又は突出し、その棒状部材の先端部に球均し部材の抜け止め処理が施されると共に、球均し部材を正規の挿入方向に対して逆向きにして棒状部材に挿入した際に、棒状部材のうち、貫通孔の正規の挿入方向における後方の開口縁が係合する係合部から棒状部材の先端面までの距離より、貫通孔の正規の挿入方向における前方の開口縁から後方の開口縁までの距離を長くしたところに特徴を有する。
【０００６】
請求項２に係る遊技機は、遊技機の後面に設けられて、遊技球を転動させて移送する遊技球誘導樋と、遊技球誘導樋の上方を横切るように遊技機の後面から、遊技球の移送方向と直交するように後方に突出した棒状部材と、棒状部材に挿入される貫通孔を上端部に有し、棒状部材から下方に垂れて揺動し、遊技球誘導樋内の上流側で積み重なった遊技球を下流に向かう途中で均す球均し部材とを備え、球均し部材は、棒状部材への挿入の方向性を有する遊技機において、棒状部材は、基端部から先端部に向かうに従って径が小さくなったテーパー構造をなし、球均し部材の貫通孔は、棒状部材のテーパー構造に対応して挿入方向の前方から後方に向かうに従って径が小さくなったテーパー構造をなして棒状部材と嵌合し、球均し部材を逆向きにして棒状部材に挿入した際に、棒状部材の先端面が球均し部材の内部に位置するように構成したところに特徴を有する。
【０００７】
請求項３に係る遊技機は、請求項１又は２に記載の遊技機において、遊技球誘導樋には、球均し部材が棒状部材に誤挿入されたときには、球均し部材に干渉する干渉突壁が設けられたところに特徴を有する。
【０００８】
請求項４の発明は、請求項３に記載の遊技機において、干渉突壁は、遊技球誘導樋の遊技球を複数列に区分けする区画壁を兼ねたところに特徴を有する。
【０００９】
請求項５の発明は、請求項１乃至４の何れかに記載の遊技機において、遊技球誘導樋には、棒状部材の先端面に押し付けた状態でねじ止めされる抜け止め壁が備えられたところに特徴を有する。
【発明の効果】
【００１０】
［請求項１の発明］
上記のように構成した請求項１に係る発明によれば、棒状部材は、基端部から先端部に向かうに従って径が小さくなったテーパー構造をなすと共に、球均し部材の貫通孔は、棒状部材テーパー構造に対応して挿入方向の前方から後方に向かうに従って径が小さくなったテーパー構造をなしているので、球均し部材を棒状部材に対して正規の方向とは逆方向に挿入した場合には、球均し部材と遊技機の後面との間に、球均し部材を正規の方向で挿入組み付けした場合よりも大きな空間が形成される。これにより、組み付け作業者に、球均し部材の組み付けが間違っていること認識させることができ、球均し部材の組み付け不良を防止することができる。また、球均し部材を正規の挿入方向に対して逆向きにして棒状部材に挿入した場合には、球均し部材の貫通孔のうち、径が小さい方の開口縁が棒状部材の途中部分に係合する。そして、このとき、棒状部材のうち球均し部材の開口縁が嵌合した係合部から棒状部材の先端面までの距離より、貫通孔の正規の挿入方向における前方の開口縁から後方の開口縁までの距離が長くなるように構成されている。つまり、球均し部材の挿入方向が正規の方向とは逆の場合には、棒状部材の先端部が、球均し部材の貫通孔の内部に位置するので、棒状部材の先端部に球均し部材の抜け止め処理を行うことが不可能となる。これにより、組み付け作業者に、球均し部材の組み付けが間違っていること認識させることができ、球均し部材の組み付け不良を防止することができる。
【００１１】
［請求項２の発明］
請求項２に係る発明によれば、棒状部材は、基端部から先端部に向かうに従って径が小さくなったテーパー構造をなすと共に、球均し部材の貫通孔は、棒状部材テーパー構造に対応して挿入方向の前方から後方に向かうに従って径が小さくなったテーパー構造をなしているので、球均し部材を棒状部材に対して正規の方向とは逆方向に挿入した場合には、球均し部材と遊技機の後面との間に、球均し部材を正規の方向で挿入組み付けした場合よりも大きな空間が形成される。これにより、組み付け作業者に、球均し部材の組み付けが間違っていること認識させることができ、球均し部材の組み付け不良を防止することができる。また、球均し部材を正規の挿入方向に対して逆向きにして棒状部材に挿入した際には、棒状部材の先端面が球均し部材の内部に位置するので、棒状部材の先端部に球均し部材の抜け止め処理を施すことが不可能となる。これにより、組み付け作業者に、球均し部材の組み付けが間違っていること認識させることができ、球均し部材の組み付け不良を防止することができる。
【００１２】
［請求項３及び４の発明］
請求項３の発明によれば、球均し部材が棒状部材に誤挿入されたときには、遊技球誘導樋に形成された干渉突壁が、球均し部材に干渉するので、組み付け作業者に、球均し部材の組み付けが間違っていることを認識させることができ、組み付け不良をより確実に防止することができる。ここで、干渉突壁は、遊技球誘導樋の遊技球を複数列に区分けする区画壁を兼ねた構成でもよい（請求項４の発明）。
【００１３】
［請求項５の発明］
請求項５の発明によれば、棒状部材は、遊技機の後面と遊技球誘導樋に形成された抜け止め壁との間に差し渡されて固定されたので、球均し部材を、遊技機の後面と抜け止め壁との間で保持することができる。
【発明を実施するための最良の形態】
【００１４】
以下、本発明を適用したパチンコ遊技機に係る一実施形態を、図１〜図１１に基づいて説明する。図１に示すように、パチンコ遊技機の遊技盤１１には、ガイドレール１２で囲まれたほぼ円形の遊技領域Ｒ１が形成され、遊技領域Ｒ１の中央部に、表示装置１３が備えられている。遊技領域Ｒ１のうち表示装置１３の下方には、始動入賞口１４、大入賞口１５及び外れ球受け入れ口１６が、上から順に間隔を開けて並べて設けられている。また、遊技領域Ｒ１のうち表示装置１３等を挟んだ左右の両側には、上から順に、ランプ風車１７、始動ゲート１８、風車１９、上側サイド入賞口２０，下側サイド入賞口２１が設けられ、ガイドレール１２に沿った両側端部には、サイドランプ２２，２２が設けられている。また、遊技領域Ｒ１全体に亘って、図示しない複数の障害釘が起立している。
【００１５】
パチンコ遊技機のうち遊技盤１１より下方には、上皿２７Ａ及び下皿２７Ｂが上下２段にして設けられている。そして、下皿２７Ｂの右端部に設けた操作ノブ２８を操作することで、上皿２７Ａに収容された遊技球が遊技盤１１に向けて弾き出される。また、上皿２７Ａに設けたボタン２９を押せば、上皿２７Ａから下皿２７Ｂに遊技球が移動して収容される。さらに、上皿２７Ａを挟んだ両側には、スピーカ５９Ｓが備えられている。
【００１６】
図１に示すように、パチンコ遊技機の左側部には、プリペイドカードユニット１０１が備えられている。プリペイドカードユニット１０１には、カード挿入口１０２が設けられ、このカード挿入口１０２に、予め購入したプリペイドカードを挿入して、球貸しボタン１０３を押すと、所定数の遊技球が、パチンコ遊技機の後側に備えられた貸球払出装置３１（図２を参照）によって、上皿２７Ａに払い出される。
【００１７】
次に所要の各部位についてさらに詳説する。
上側サイド入賞口２０及び下側サイド入賞口２１は、共に遊技球が１つ入賞可能な開口幅をなして上方に開放されている。そして、これら各サイド入賞口２０，２１に遊技球が入賞すると、例えば５個の遊技球が後述する賞球払出装置３０（図２を参照）によって上皿２７Ａに払い出される。
【００１８】
始動ゲート１８は、遊技球が潜って通過可能な門形構造をなし、通過した遊技球は、その始動ゲート１８に内蔵した普通図柄始動スイッチによって検出される。そして、その検出信号に基づいて、後述する普通図柄表示領域２４の図柄が変動表示される。
【００１９】
始動入賞口１４は、所謂、ポケット構造をなして上方に向かって開口しており、その開口の両側部には可動翼片１４Ｃ，１４Ｃが備えられている。これら両可動翼片１４Ｃ，１４Ｃは、常には起立状態になっており、両可動翼片１４Ｃ，１４Ｃに挟まれた始動入賞口１４の開口幅は、遊技球が約１つ入る大きさになっている。そして、遊技盤１１の裏に設けたソレノイドが駆動されると、可動翼片１４Ｃ，１４Ｃが横に倒され、遊技球が可動翼片１４Ｃに案内されて始動入賞口１４に入り得る状態になる。
【００２０】
始動入賞口１４に遊技球が入賞すると、始動入賞口１４内に設けた特別図柄始動スイッチが遊技球を検出し、その検出信号に基づいて賞球払出装置３０によって、例えば、１０個の遊技球が上皿２７Ａに払い出されると共に、表示装置１３が後述するように図柄を変動表示する。なお、表示装置１３が図柄を変動表示している間に、始動入賞口１４に入賞した入賞球は、４個まで保留記憶される。
【００２１】
大入賞口１５は、横長に形成されて、常には、可動扉１５Ｔにて閉塞されている。そして、後述する所定条件の成立によって、パチンコ遊技機が「大当たり状態」になると、遊技盤１１の裏に設けたソレノイドが駆動され、可動扉１５Ｔが所定期間に亘って前側に倒れる。これにより、大入賞口１５が開放され、可動扉１５Ｔを案内にして、大入賞口１５に多くの遊技球が入賞可能になる。大入賞口１５に遊技球が入賞すると、大入賞口１５内に設けた検出スイッチが遊技球を検出し、その検出信号に基づいて賞球払出装置３０によって、例えば、１５個の遊技球が上皿２７Ａに払い出される。そして、所定条件が成立（例えば、可動扉１５Ｔの開放時間が２９秒に達したか、又は、大入賞口１５に遊技球が１０個入賞したか）すると、可動扉１５Ｔが遊技盤１１側に回動して大入賞口１５を閉塞する。
【００２２】
表示装置１３は、全体として枠形構造をなした表示枠体２３の後端面に、図示しない液晶モジュール（詳細には、ＴＦＴ−ＬＣＤモジュール）を組み付けてなる。液晶モジュールのうち表示枠体２３によって取り囲まれた前面部分は、表示部３４となっており、遊技者は、表示枠体２３を通して表示部３４に表示された画像を見ることができる。
【００２３】
表示部３４の中央部分には、特別図柄表示領域が設けられ、図１に示すように、通常は、３つの左、中、右の特別図柄１３Ａ，１３Ｂ，１３Ｃが、横並びに表示されている。これら各特別図柄１３Ａ，１３Ｂ，１３Ｃは、例えば、「０」〜「１１」の数字を表記した複数種類のもので構成されており、通常は、各特別図柄１３Ａ，１３Ｂ，１３Ｃごと、所定の種類のものが、表示部３４に確定表示されている。そして、始動入賞口１４に遊技球が入賞したときに当否判定され、各特別図柄１３Ａ，１３Ｂ，１３Ｃが、上下方向にスクロールして変動表示され、所定時間後に、例えば、左、中、右の順で各特別図柄１３Ａ，１３Ｂ，１３Ｃが停止表示される。このとき、例えば、当否判定の結果が当たりで全ての特別図柄１３Ａ，１３Ｂ，１３Ｃが同じ図柄、即ち、ぞろ目になった場合に、遊技が「大当たり状態」になり、可動扉１５Ｔが開かれる。
【００２４】
表示部３４のうち、特別図柄表示領域の左下隅には、普通図柄表示領域２４が設けられている。この普通図柄表示領域２４は、始動ゲート１８内に設けた普通図柄始動スイッチが遊技球の通過を検出したときに当否判定され、例えば、「０」〜「９」までの数字（普通図柄）を所定期間に亘って変動表示した後、所定の数字を確定表示する。そして、確定表示された数字が、例えば、奇数の場合に、前記始動入賞口１４に設けた前記可動翼片１４Ｃ，１４Ｃが所定期間（例えば、０．４秒）に亘って横に倒される。なお、普通図柄表示領域２４で表示する普通図柄は、数字に限るものではなく、アルファベットや記号等でもよい。
【００２５】
図２に示すように、パチンコ遊技機の後面中央には、遊技の主制御を行う主制御基板７２が設けられ、この主制御基板７２に重なるようにして、音声制御基板５０、表示制御基板５１、ランプ制御基板５２が設けられている。そして、これら各種制御基板５０〜５２は１つの基板収納ボックス５６に収納されている。また、基板収納ボックス５６の下方には、電源基板５４、発射装置５３、払出制御基板５８等が備えられている。
【００２６】
基板収納ボックス５６の上方には、遊技球タンク７１が設けられている。そして、遊技場に備えられた図示しないダクトから遊技球タンク７１に遊技球が供給されて、常に一定量以上の遊技球が遊技球タンク７１に貯留されている。遊技球タンク７１の下方には、基板収納ボックス５６の上辺に沿うようにして、遊技球誘導樋７５が延びており、遊技球タンク７１に貯留された遊技球は、この遊技球誘導樋７５内を転動して、基板収納ボックス５６の右側方に設けられた賞球払出装置３０及び貸球払出装置３１に供給され、これら各払出装置３０，３１によって上皿２７Ａに払い出される。賞球払出装置３０及び貸球払出装置３１は、払出制御基板５８によって駆動制御されている。なお、上述した各種基板及び各種装置のうち、主制御基板７２、音声制御基板５０、表示制御基板５１、ランプ制御基板５２及び発射装置５３以外の基板及び装置は、遊技盤１１の後側に取り付けられた機構板１０４（図３を参照）に取り付けられている。
【００２７】
遊技球誘導樋７５は、図８に示すように上方に開放しており、パチンコ遊技機（より詳細には、機構板１０４）後面の左側から右側に向かって若干下方に傾斜するようにして取り付けられている（図４を参照）。遊技球誘導樋７５の内側には、区画壁７６が起立形成されており、この区画壁７６によって遊技球誘導樋７５の内部に２つの転動路７８，７９が並んで形成されている。そして、遊技球タンク７１から供給された遊技球は、これら２つの転動路７８，７９によって、遊技球誘導樋７５内を２列になって転動する。
【００２８】
遊技球誘導樋７５の上方で、遊技球誘導樋７５の左右方向のほぼ中央部分には、先端に向かって縮径する棒状の軸８０（本発明の「棒状部材」に相当する）が備えられている。軸８０は、基端部から先端部に向かうに従って径が徐々に小さくなるようにテーパー構造をなし、機構板１０４の後面から水平方向後方に向かって起立して、遊技球誘導樋７５の上方を横切るようにして、遊技球誘導樋７５の後側壁７７（本発明の「抜け止め壁」に相当する）との間に差し渡されている（図８を参照）。
【００２９】
さて、上述した軸８０には、本発明の球均し部材４０，４１が揺動可能に取り付けられている。具体的には、図５に示すように、軸８０の基端部寄りの部位に、第１の球均し部材４０が挿入組み付けされ、軸８０の先端部寄りの部位に、第２の球均し部材４１が挿入組み付けされている。そして、第１の球均し部材４０が遊技球誘導樋７５に形成された機構板１０４側の転動路７９内で揺動し、第２の球均し部材４１が機構板１０４から離れた側の転動路７８内で揺動するように構成されている。なお、球均し部材４０，４１の下端面と、転動路７８，７９の底面との間には、遊技球が１つ通過可能な大きさの隙間が設けられている。
【００３０】
球均し部材４０，４１は、図６に示すように全体として非対称な異形形状をなしている。この形状を有することで遊技球をスムーズに均すことができる。球均し部材４０，４１は、軸８０が挿入される貫通孔６６，６７が形成された軸支部４０Ａ，４１Ａと、軸支部４０Ａ，４１Ａの下部に形成されたブロック部４０Ｂ，４１Ｂ（本発明の「球均し部材」に相当する）とから構成され、このブロック部４０Ｂ，４１Ｂが、遊技球誘導樋７５を転動する遊技球と接触する。
【００３１】
球均し部材４０，４１のうち、ブロック部４０Ｂ，４１Ｂは略三角形状をなしており、それぞれが配置される転動路７８，７９の幅に対応した厚さとなっている。本実施形態では、転動路７８，７９はほぼ同じ幅となっているので、ブロック部４０Ｂ，４１Ｂもほぼ同じ厚さとなっている。ここで、転動路７８，７９の幅を互いに異ならせかつ、ブロック部４０Ｂ，４１Ｂの厚さを互いに異ならせた場合には、転動路７８，７９のうちの幅狭な方の転動路に、ブロック部４０Ａ，４０Ｂのうちの厚肉な方のブロック部を挿入しようとした際に、区画壁７６がその肉厚なブロック部に干渉して、球均し部材４０，４１を、間違った転動路７８，７９内に配置することが不可能となる。これにより、球均し部材４０，４１の取り付け間違いを防止することができる。なお、このとき、区画壁７６が本発明の「干渉突壁」に相当する。また、球均し部材４０，４１を正規の挿入方向とは逆向きに挿入した場合には、遊技球誘導樋７５の後側壁７７が球均し部材４０，４１に干渉する。この場合には、後側壁７７が本発明の「干渉突壁」となる。
【００３２】
ブロック部４０Ｂ，４１Ｂの裏面には、図６の（Ｂ）に示すように、丁度遊技球１つ分の大きさの横孔４２が３つ形成されており、錘としての遊技球を嵌め込んで保持することが可能となっている。一方、ブロック部４０Ｂ，４１Ｂの表側には、図６の（Ａ）に示すように、横孔４２と連通した小孔４３が形成されており、この小孔４３から横孔４２内に嵌め込まれた遊技球を押せば、横孔４２から遊技球を取り出すことができる。そして、横孔４２に嵌め込む遊技球の数で、球均し部材４０，４１の重さが調節可能となっている。なお、ブロック部４０Ｂ，４１Ｂの下端面は円弧状に湾曲した湾曲面となっており、球均し部材４０，４１と遊技球との接触時の抵抗が軽減されている。ブロック部４０Ｂ，４１Ｂの形状は、上述した形状に限るものではなく、従来の球均し部材に適用されていた形状であってもよい。
【００３３】
図６及び図７に示すように、第１の球均し部材４０の軸支部４０Ａは、ブロック部４０Ｂよりも肉厚となっており、ブロック部４０Ｂの表裏面よりも前後に突出している。第２の球均し部材４１の軸支部４１Ａは、ブロック部４１Ｂよりも薄肉となっている。詳細には、第２の球均し部材４１の表面は、軸支部４１Ａとブロック部４１Ｂとが面一となっているのに対し、第２の球均し部４１の裏面は、軸支部４１Ａとブロック部４１Ｂとの間に段差が形成されている。
【００３４】
つまり、第１の球均し部材４０と第２の球均し部材４１との間では、ブロック部４０Ａ，４１Ａの形状がほぼ同一であるのに対し、軸支部４０Ａ，４１Ａ（貫通孔６６，６７が形成された部分）の幅が互いに異なっている。
【００３５】
球均し部材４０，４１の上端部（軸支部４０Ａ，４１Ａ）には、それぞれ貫通孔６６，６７が形成されている。第１の球均し部材４０に形成された貫通孔６６及び第２の球均し部材４１に形成された貫通孔６７は、軸８０のテーパー構造に対応して、挿入方向に向かって徐々に径が大きくなったテーパー構造をなしている。
【００３６】
次に本発明の作用・効果について説明する。
遊技球タンク７１内に貯留された遊技球は、遊技球タンク７１の底面に形成された図示しない連絡孔から、遊技球誘導樋７５の左端部に流入する。遊技球誘導樋７５内に流入した遊技球は、図４に示すように、積み重なった状態のまま、遊技球誘導樋７５の傾斜によって遊技球誘導樋７５の右端部へ向かって移動する。すると、積み重なった遊技球のうちの上層部分にある遊技球は球均し部材４０，４１に接触する。球均し部材４０，４１は、自重によって上層部分の遊技球の右方向への移動を規制しつつ、斜め下方に案内する。そして、球均し部材４０，４１によって遊技球の積み重なった状態が解消され、球均し部材４０，４１を通過したときには、遊技球は平坦に均された状態となって転動する。
【００３７】
ところで、球均し部材４０，４１をパチンコ遊技機に取り付ける際に、図８に示すように、第１の球均し部材４０を正規の挿入方向で軸８０に挿入すると、第１の球均し部材４０の貫通孔６６が軸８０の基端部から中間部に亘った部分に嵌合する。また、第２の球均し部材４１を正規の挿入方向で軸８０に挿入すると、第２の球均し部材４１の貫通孔６７が軸８０の中間部から先端部近傍に亘った部分に嵌合する。
【００３８】
上述のように、第１の球均し部材４０と第２の球均し部材４１とが正規の挿入方向・順序で軸８０に取り付けられた場合には、軸８０の先端部が、第２の球均し部材４１から突出する。
【００３９】
球均し部材４０，４１を軸８０に取り付けたら、遊技球誘導樋７５を機構板１０４の後面に取り付ける。このとき、第１の球均し部材４０が、遊技球誘導樋７５内に形成された機構板１０４寄りの転動路７９内に配置され、第２の球均し部材４１が機構板１０４から離れた側の転動路７８内に配置されるようにする。そして、遊技球誘導樋７５の後側壁７７を、第２の球均し部材４１から突出した軸８０の先端面に突き当てて、後側壁７７を貫通したねじ４８によって、軸８０と遊技球誘導樋７５とを固定する。これにより、球均し部材４０，４１の軸８０からの抜け止め処理がなされ、球均し部材４０，４１がパチンコ遊技機の後面（機構板１０４）と後側壁７７との間で揺動可能に保持される。また、軸８０のうち、第２の球均し部材４１の貫通孔４５から突出した部分が「遊び」となって、球均し部材４０，４１が軸方向（図８における左右方向）へ若干スライド可能となっている。これにより、球均し部材４０，４１は、よりスムーズに揺動可能となる。
【００４０】
ところで、球均し部材４０，４１を上述した正規の挿入方向・順序とは異なる間違った挿入方向・順序で軸８０に取り付けると、以下のようになる。
例えば、第１の球均し部材４０を正規の挿入方向とは逆方向から軸８０に取り付けると、図９に示すように、第１の球均し部材４０の開口径の小さい側の開口端が軸８０の中間部分に係合して、これ以上、軸８０の基端側に移動できなくなる。すると、第１の球均し部材４０と機構板１０４との間に、第１の球均し部材４０を正規の挿入方向で挿入した場合（図８を参照）に比較して大きな空間が形成される。しかも、このとき、第１の球均し部材４０の開口端が係合した位置から軸８０の先端部までの距離よりも、第１の球均し部材４０の貫通孔６６の両開口端の間の距離の方が長いので、軸８０の先端部が貫通孔６６の内側に位置し、第２の球均し部材４１を軸８０に挿入組み付けすることが不可能となる。これにより、取り付け作業者に、第１の球均し部材４０の組み付けが間違っていることを認識させることができる。ここで、軸８０のうち、第１の球均し部材４０の開口径の小さい側の開口端が係合した部分は、本発明の「係合部」に相当する。
【００４１】
また、例えば、第１の球均し部材４０を正規の挿入方向で軸８０に組み付けた後で、第２の球均し部材４１を正規の挿入方向とは逆方向から軸８０に嵌めた場合には、図１０に示すように、第２の球均し部材４１の貫通孔６７のうち、開口径が小さい側の開口端が軸８０の先端部近傍に係合して、第２の球均し部材４１は、正規の取り付け位置まで移動できなくなる。すると、第１の球均し部材４０と第２の球均し部材４１との間に、第２の球均し部材４１を正規の挿入方向で取り付けた場合（図８を参照）に比較して大きな空間が形成される。しかも、このとき、第２の球均し部材４１の開口端が係合した位置から軸８０の先端部までの距離よりも、第２の球均し部材４１の貫通孔６７の両開口端の間の距離の方が長いので、軸８０の先端部が第２の球均し部材４１の貫通孔４７の内部に位置し、軸８０の先端部と遊技球誘導樋７５の後側壁７７とを当接させて、球均し部材４０，４１の抜け止め処理を行うことが不可能となる。これにより、取り付け作業者に、第２の球均し部材４１の取り付けが間違っていることを認識させることができる。ここで、軸８０のうち、第２の球均し部材４１の開口径の小さい側の開口端が係合した部分は、本発明の「係合部」に相当する。
【００４２】
さらに、球均し部材４０，４１の挿入順序が正規の順序ではない場合、即ち、第２の球均し部材４１を第１の球均し部材４０より先に軸８０に取り付けると以下のようになる。即ち、図１１に示すように、第２の球均し部材４１は、軸８０の正規の取り付け位置まで挿入可能となるが、軸８０及び貫通孔６７に形成されたテーパー構造によって、この位置よりも基端部側への移動が規制される。すると、機構板１０４後面と第２の球均し部材４１との間には、本来、第１の球均し部材４０が配置される分の大きさの空間が形成される。つまり、第１の球均し部材４１を正規な挿入方向で軸８０に取り付けた場合（図８を参照）に比較して、機構板１０４との間に大きな空間が形成されるので、取り付け作業者に、球均し部材４０，４１の取り付け順序が間違っていることを認識させることができる。
【００４３】
このように本実施形態によれば、球均し部材４０，４１を正規の挿入方向・順序で軸８０に挿入しなかった場合には、正規の挿入方向・順序で取り付けた場合と比較して、球均し部材４０，４１と機構板１０４との間に大きな空間が形成されるので、取り付け作業者に、取り付けが間違っていることを認識させることができる。従って、球均し部材の組み付け不良を確実に防止することができる。特に、最初に軸８０に嵌め込んだ球均し部材４０，４１の挿入方向が正規の挿入方向と逆であった場合には、その時点で、軸８０の先端部が貫通孔６６，６７の内部に位置して、次の球均し部材４０，４１を挿入することができなくなるので、より早い段階でより確実に取り付け間違いを認識させることができる。
【００４４】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記実施形態においては、遊技機の一例としてパチンコ遊技機を例示したが、本発明はこれに限られず、例えばアレンジボール等に本発明を適用してもよい。
【００４５】
（２）前記実施形態では、軸８０に２つの球均し部材４０，４１が組み付けられていたが、１つであってもよいし、３つ以上の複数であってもよい。
【００４６】
（３）前記実施形態では、第１の球均し部材４０と第２の球均し部材４１とを正規の挿入方向・順序で軸８０に取り付けた際に、軸８０の先端部が、第２の球均し部材４１の貫通孔６６，６７から後側に突出するように構成されていたが、軸８０の先端面が第２の球均し部材４１の貫通孔４５の開口端面と面一となるように構成してもよい。
【００４７】
（４）前記実施形態では、遊技球誘導樋７５は、機構板１０４の後面で左右方向に延びており、軸８０は、機構板１０４の後面から水平方向後方に向かって起立し、遊技球誘導樋７５の上方を横切るようにして、遊技球誘導樋７５の後側壁７７との間に差し渡されているが、遊技球誘導樋７５と軸８０の配置は、これに限るものではない。即ち、軸８０が遊技球誘導樋７５による遊技球の移送方向と直交するように配設されていれば、軸８０及び遊技球誘導樋７５はいかなる方向で配設されていても構わない。
【図面の簡単な説明】
【００４８】
【図１】本発明の一実施形態に係るパチンコ遊技機の正面図
【図２】パチンコ遊技機の背面図
【図３】遊技球誘導樋及び球均し部材の分解斜視図
【図４】遊技球誘導樋の背面図
【図５】球均し部材を取り付けた状態の遊技球誘導樋の側断面図
【図６】（Ａ）球均し部材の表面側の斜視図（Ｂ）球均し部材の裏面側の斜視図
【図７】球均し部材及び軸の分解側断面図
【図８】正規の組み付け状態における球均し部材の側断面図
【図９】第１の球均し部材を正規の方向と逆方向から挿入した際の状態を表す側断面図
【図１０】第２の球均し部材を正規の方向と逆方向から挿入した際の状態を表す側断面図
【図１１】球均し部材を正規の順序と逆の順序で挿入した際の状態を表す側断面図
【符号の説明】
【００４９】
４０，４１    球均し部材
６６，６７    貫通孔
８０    軸（棒状部材）
７５    遊技球誘導樋
７６    区画壁
７７    後側壁（抜け止め壁）
【図１】
2006026450.tif 000003
【図２】
2006026450.tif 000004
【図３】
2006026450.tif 000005
【図４】
2006026450.tif 000006
【図５】
2006026450.tif 000007
【図６】
2006026450.tif 000008
【図７】
2006026450.tif 000009
【図８】
2006026450.tif 000010
【図９】
2006026450.tif 000011
【図１０】
2006026450.tif 000012
【図１１】
2006026450.tif 000013